(57)【要約】【課題】  顔認識ＡＦ機能で認識した顔エリアの情報を利用して証明写真を作成すること。【解決手段】  顔エリア読み込み部１０４ａは、画像データ内に含まれる人物の顔を含む領域の情報を読み込む。トリミング部１０４ｂは、読み込んだ人物の顔を含む領域の情報に基づいて、証明写真を作成するための画像のトリミング範囲を決定し、決定したトリミング範囲に対してトリミングを行って、証明写真を作成する。【選択図】      図１
2007036689.tif 000002
【特許請求の範囲】
【請求項１】
撮像手段で撮像した画像内から人物の顔を含む領域を特定し、その人物の顔を含む領域の情報を画像データ内に含めて記憶し、当該画像データを画像処理して証明写真を作成する撮像装置であって、
前記画像データ内に含まれる前記人物の顔を含む領域の情報に基づいて、前記証明写真を作成するための画像のトリミング範囲を決定する決定手段と、
前記決定手段で決定した前記トリミング範囲に対してトリミングを行って、前記証明写真を作成する証明写真作成手段とを備えることを特徴とする撮像装置。
【請求項２】
請求項１に記載の撮像装置において、
作成する証明写真の種類を指定する指定手段をさらに備え、
前記決定手段は、前記指定手段で指定された証明写真の種類に応じた証明写真のサイズに基づいて、前記トリミング範囲を決定することを特徴とする撮像装置。
【請求項３】
画像内に存在する人物の顔を含む領域の情報が記憶された画像データを画像処理して証明写真を作成し、印刷する印刷装置であって、
前記画像データ内に含まれる前記人物の顔を含む領域の情報に基づいて、前記証明写真を作成するための画像のトリミング範囲を決定する決定手段と、
前記決定手段で決定した前記トリミング範囲に対してトリミングを行って、前記証明写真を作成する証明写真作成手段と、
前記証明写真作成手段で作成した前記証明写真を印刷する出力手段とを備えることを特徴とする印刷装置。
【請求項４】
請求項３に記載の印刷装置において、
作成する証明写真の種類を指定する指定手段をさらに備え、
前記決定手段は、前記指定手段で指定された証明写真の種類に応じた証明写真のサイズに基づいて、前記トリミング範囲を決定することを特徴とする印刷装置。
【請求項５】
請求項３に記載の印刷装置において、
前記画像データ内には、作成する証明写真の種類に関する情報を含み、
前記決定手段は、前記証明写真の種類に応じた証明写真のサイズに基づいて、前記トリミング範囲を決定することを特徴とする印刷装置。
【請求項６】
コンピュータで実行され、撮画像内に存在する人物の顔を含む領域の情報が記憶された画像データを画像処理して証明写真を作成するための画像処理プログラムであって、
前記画像データ内に含まれる前記人物の顔を含む領域の情報に基づいて、前記証明写真を作成するための画像のトリミング範囲を決定する工程と、
決定した前記トリミング範囲に対してトリミングを行って、前記証明写真を作成する工程とを有することを特徴とする画像処理プログラム。
【請求項７】
請求項６に記載の画像処理プログラムにおいて、
作成した前記証明写真を印刷する工程をさらに有することを特徴とする画像処理プログラム。
【発明の詳細な説明】
【技術分野】
【０００１】
本発明は、撮像した画像を画像処理して証明写真を作成することができる撮像装置、印刷装置、および画像処理プログラムに関する。
【背景技術】
【０００２】
次のような画像処理装置が特許文献１によって知られている。この画像処理装置によれば、撮像した画像内から人物の頭頂部、両眼部、および顎先端位置を検出して人物の顔領域を認識し、認識した人物の顔領域が証明写真のサイズに納まるように画像をトリミングする。
【０００３】
【特許文献１】特開２００２−１５２４９２号公報
【発明の開示】
【発明が解決しようとする課題】
【０００４】
しかしながら、従来の画像処理装置においては、撮像した画像に基づいて証明写真を作成するために、その都度、画像内における人物の頭頂部、両眼部、および顎先端位置を検出して人物の顔を認識する必要があるため、処理負荷が増大する可能性があるという問題が生じていた。
【課題を解決するための手段】
【０００５】
本発明は、画像データ内に含まれる人物の顔を含む領域の情報に基づいて、証明写真を作成するための画像のトリミング範囲を決定し、決定したトリミング範囲に対してトリミングを行って、証明写真を作成することを特徴とする。
また、作成した証明写真を印刷するようにしてもよい。
さらに、証明写真の種類に応じた証明写真のサイズに基づいて、トリミング範囲を決定することが好ましい。
【発明の効果】
【０００６】
本発明によれば、画像データ内に人物の顔を含む領域の情報を記憶しておき、その人物の顔を含む領域の情報に基づいて証明写真を作成することができ、証明写真作成の度に人物の顔を認識する必要がなく、処理負荷を低減することができる。
【発明を実施するための最良の形態】
【０００７】
―第１の実施の形態―
第１の実施の形態では、証明写真を作成する画像処理プログラムを撮像装置、例えばデジタルカメラに搭載し、当該デジタルカメラで画像を撮像して、撮像した画像から証明写真を作成する場合の処理について説明する。
【０００８】
図１は、第１の実施の形態におけるデジタルカメラの一実施の形態の構成を示すブロック図である。デジタルカメラ１００は、画像を撮像するためのＣＣＤ１０１と、使用者によって操作される入力装置１０２、例えば入力スイッチと、ＣＣＤ１０１で撮像した画像や画像処理プログラムを記憶する内蔵メモリ１０３と、ＣＰＵ、メモリ、およびその他の周辺回路で構成され、後述する種々の処理を実行する制御装置１０４と、撮像した画像や各種メニュー画面を表示するモニタ１０５、例えば液晶モニタと、メモリーカードなどの外部記憶素子を挿入するメモリーカードスロット１０６と、デジタルカメラ１００とパソコンやプリンタなどの外部機器とを接続するための外部インターフェース１０７、例えばＵＳＢインターフェースとを備えている。
【０００９】
制御装置１０４は、顔エリア位置読み込み部１０４ａと、トリミング部１０４ｂと、証明写真出力部１０４ｃとを有している。
【００１０】
このデジタルカメラ１００には、公知の顔認識ＡＦ機能が搭載されており、撮像した画像内に存在する人物の顔を含む領域を四角形のエリア（顔エリア）で認識し、その顔エリアに自動的に合焦させて撮像する。この顔認識ＡＦ機能については公知の技術のため説明は省略するが、従来の顔認識ＡＦ機能を搭載したデジタルカメラにおいては、認識した顔エリアは画像の撮像時にしか使用していなかった。
【００１１】
そこで、この実施の形態では、顔認識ＡＦ機能により認識した顔エリアの画像内における位置情報（座標情報）を画像データ内に保存しておき、この顔エリアの位置情報に基づいて画像のトリミングを行って、証明写真用の画像を作成する方法について説明する。なお、デジタルカメラ１００で撮像される画像は、例えばＥｘｉｆ形式で保存され、顔エリアの位置情報をこのＥｘｉｆデータ内に保存する。また、顔エリアの位置情報としては、例えは顔エリアを示す四角形の左上のピクセル位置、および右下のピクセル位置の対を保存する。
【００１２】
デジタルカメラ１００を使用して証明写真を作成するに当たっては、使用者はあらかじめ入力装置１０１を操作して、内蔵メモリ１０３またはメモリーカードスロット１０６に挿入されたメモリーカードに記憶されている画像の中から、証明写真を作成する対象画像を選択してモニタ１０５に表示しておく。そして、入力装置１０１を操作して証明写真作成用メニューをモニタ１０５に表示し、作成する証明写真の種類、例えば運転免許用やパスポート用を選択する。その後、使用者によってメニューから証明写真作成開始を指示する項目が選択されると、制御装置１０４は内蔵メモリ１０３から画像処理プログラムを読み込んで起動し、次のように証明写真作成処理を実行する。
【００１３】
なお、この実施の形態では、対象画像内には一人の人物の顔が映っており、画像データ内には、１つの顔エリアの位置情報が記憶されている場合について説明する。
【００１４】
まず、顔エリア位置読み込み部１０４ａは、使用者によって選択された対象画像の画像データ内から、上述した顔エリアの位置情報を読み込む。そして、トリミング部１０４ｂは、使用者によって指定された証明写真の種類に応じて対象画像をトリミングする。このために、まずは証明写真の種類、および読み込んだ顔エリアの位置情報に基づいて、トリミング範囲の中心位置を算出する。すなわち、読み込んだ顔エリアの位置情報に基づいて顔エリアの横方向の中心をトリミング範囲の横方向の中心として算出する。また、証明写真ごとに設定されたアスペクト比に基づいて、必要な画像の高さを算出し、その中心位置をトリミング範囲の縦方向の中心として算出する。そして、このトリミング範囲の横方向の中心と縦方向の中心とが交わる点をトリミング範囲の中心位置として算出する。
【００１５】
次に、証明写真の種類ごとにあらかじめ設定されている人物と背景との比率に基づいて、上述した処理で算出したトリミング範囲の中心位置からのトリミング範囲を決定する。この人物と背景との比率は、証明写真の種類ごとに一般的な比率が決まっているため、この比率をあらかじめ設定しておくものとする。このようにして決定したトリミング範囲を対象画像上に描画してモニタ１０５に表示する。すなわち、対象画像上に、上述した処理で決定したトリミング範囲を示す矩形、すなわちトリミング枠を重畳して描画し、モニタ１０５に表示する。これによって、使用者は証明写真の仕上がり状態を事前に確認することができる。
【００１６】
この実施の形態ではさらに、モニタ１０５に表示した対象画像上におけるトリミング範囲の位置を、使用者が入力装置１０１を操作して微調整することができる。具体的には、対象画像上に表示されているトリミング範囲を示す矩形を、入力装置１０１を操作して上下左右にずらして、対象画像上におけるトリミング範囲の位置を修正する。これによって、使用者は自動的に決定されたトリミング範囲を好みの位置に配置し直すことができる。
【００１７】
このようにして自動決定したトリミング範囲、あるいは使用者によって微調整された後のトリミング範囲がモニタ１０５に表示されている状態で、使用者によって証明写真の作成が指示されると、トリミング範囲内の画像のみを切り出して、証明写真の種類に応じたサイズに合わせて拡大または縮小処理を行い、さらに出力先プリンタの解像度に合わせた画像解像度の変換処理を行って、指定された種類の証明写真を作成する。なお、使用者による証明写真の作成指示は、例えば使用者がモニタ１０５上に表示された証明写真作成ボタンを押下することによって行う。また、出力先プリンタの解像度は使用者によってあらかじめ設定されているものとする。
【００１８】
証明写真出力部１０４ｃは、上述した処理によって作成された証明写真を、外部インターフェース１０７に接続されているプリンタに出力して印刷する。これと同時に、作成した証明写真データを内蔵メモリ１０３またはメモリーカードスロット１０６に挿入されたメモリーカードに記憶する。これによって、使用者は作成した証明写真データを内蔵メモリ１０３またはメモリーカードスロット１０６に挿入されたメモリーカードから読み出して再印刷を行うことが可能となり、さらにメモリーカードに記憶した証明写真データを他のプリンタで印刷することもできるようになる。
【００１９】
図２は、第１の実施の形態におけるデジタルカメラ１００で実行される画像処理プログラムの処理を示すフローチャートである。図２に示す処理は、使用者によって入力装置１０１が操作されて証明写真の作成が指示されると、制御装置１０４によって実行される。
【００２０】
ステップＳ１０において、対象画像の画像データ内から顔認識ＡＦ機能により認識した顔エリアの位置情報を読み込んで、ステップＳ２０へ進む。ステップＳ２０では、上述したように、証明写真の種類、および読み込んだ顔エリアの位置情報に基づいて、トリミング範囲の横方向の中心と縦方向の中心とを算出して、トリミング範囲の中心位置を算出する。その後、ステップＳ３０へ進み、上述したように、証明写真の種類ごとにあらかじめ設定されている人物と背景との比率に基づいて、トリミング範囲の中心位置からのトリミング範囲を決定して、ステップＳ４０へ進む。
【００２１】
ステップＳ４０では、決定したトリミング範囲を示す矩形を対象画像上に重畳して表示する。その後、ステップＳ５０へ進み、使用者によって入力装置１０１が操作されて、対象画像上におけるトリミング範囲の位置が微調整されたか否かを判定する。トリミング範囲の位置が微調整されていないと判断した場合には、後述するステップＳ７０へ進む。これに対して、トリミング範囲の位置が微調整されたと判断した場合には、ステップＳ６０へ進む。ステップＳ６０では、使用者によって微調整された結果に基づいて、トリミング範囲を修正して、ステップＳ７０へ進む。
【００２２】
ステップＳ７０では、使用者によって入力装置１０１が操作され、証明写真の作成が指示されたか否かを判断する。証明写真の作成が指示されたと判断した場合には、ステップＳ８０へ進み、上述したように、トリミング範囲内の画像のみを切り出して、証明写真の種類に応じたサイズに合わせて拡大または縮小を行い、さらに出力先プリンタの解像度に合わせた画像解像度の変換処理を行って、指定された種類の証明写真を作成する。その後、ステップＳ９０へ進む。
【００２３】
ステップＳ９０では、作成した証明写真を外部インターフェース１０７に接続されているプリンタに出力して印刷し、同時に作成した証明写真データを内蔵メモリ１０３またはメモリーカードスロット１０６に挿入されたメモリーカードに記憶する。その後、処理を終了する。
【００２４】
以上説明した第１の実施の形態によれば、次のような作用効果を得ることができる。
（１）顔認識ＡＦ機能が搭載されているデジタルカメラで撮像した画像データ内に、顔認識ＡＦ機能で認識した顔エリアの位置情報を記憶しておき、この顔エリアの位置情報に基づいて画像のトリミング範囲を決定して証明写真を作成するようにした。これによって、公知の顔認識ＡＦ機能によって認識した顔エリアに関する情報を、画像撮像時だけでなく、撮像後の画像の加工にも利用することができ、顔認識ＡＦ機能で認識した顔エリア情報を有効に活用することができる。
【００２５】
（２）使用者によってあらかじめ選択された証明写真の種類に応じて、対象画像のトリミング範囲を決定するようにした。これによって、様々な種類の証明写真を作成することができる。
【００２６】
（３）対象画像から読み込んだ顔エリアの位置情報と証明写真の種類とに基づいてトリミング範囲の中心位置を算出し、証明写真の種類ごとにあらかじめ設定されている人物と背景との比率に基づいてトリミング範囲の中心位置からのトリミング範囲を決定して、証明写真を作成するようにした。これによって、顔認識ＡＦ機能で認識した顔エリア情報を利用して、証明写真の種類に応じた最適な証明写真を作成することができる。
【００２７】
（４）決定したトリミング範囲を対象画像上に描画してモニタ１０５に表示するようにした。これによって、使用者は証明写真の仕上がり状態を事前に確認することができる。
【００２８】
（５）モニタ１０５に表示した対象画像上におけるトリミング範囲の位置を、使用者が入力装置１０１を操作して微調整することができるようにした。これによって、使用者は自動的に決定されたトリミング範囲を好みの位置に配置し直すことができる。
【００２９】
―第２の実施の形態―
第２の実施の形態では、証明写真を作成する画像処理プログラムを画像処理装置、例えばパソコンに搭載し、当該パソコンにおいて、顔認識ＡＦ機能を搭載したデジタルカメラで撮像した画像を読み込んで、読み込んだ画像から証明写真を作成する場合の処理について説明する。なお、この実施例においては、作成する証明写真の種類はデジタルカメラ側で画像の撮像前に指定されており、顔認識ＡＦ機能で認識した顔エリアの位置情報とともに、この証明写真の種類に関する情報もＥｘｉｆデータ内に記憶されている場合について説明する。
【００３０】
図３は、第２の実施の形態におけるパソコンの一実施の形態の構成を示すブロック図である。なお、図３においては、図１に示す第１の実施の形態におけるデジタルカメラ１００と同一の構成要素に対しては同一の符号を付与し、相違点を中心に説明する。パソコン２００は、デジタルカメラから取得した画像データや、画像や画像処理プログラムを記憶するＨＤＤ２０１と、作成した証明写真を印刷するためのプリンタ２０２とを備えている。
【００３１】
このパソコン２００は、外部インターフェース１０７を介して接続されたデジタルカメラ、またはメモリーカードスロット１０６に挿入されたメモリーカードから、上述したように画像データ内に顔エリアの位置情報、および作成する証明写真の種類に関する情報を含んだ画像を取得する。取得した画像は、一時的に制御装置１０４が備えるメモリ空間に記憶され、その後ＨＤＤ２０１に保存される。
【００３２】
第２の実施の形態では、使用者は、ＨＤＤ２０１に保存された画像に基づいて証明写真を作成する場合には、入力装置１０１、例えばキーボードやマウスを操作してＨＤＤ２０１に保存されている画像の中から証明写真を作成する対象画像を選択し、モニタ１０５に表示しておく。この状態で、使用者によって証明写真の作成開始が指示されると、制御装置１０４はＨＤＤ２０１から画像処理プログラムを読み込んで起動し、次のように証明写真作成処理を実行する。
【００３３】
まず、顔エリア位置読み込み部１０４ａは、対象画像の画像データ内から作成する証明写真の種類に関する情報、および顔エリアの位置情報を読み込む。次に、トリミング部１０４ｂは、第１の実施の形態と同様に、これらの情報に基づいてトリミング範囲を決定する。決定したトリミング範囲は、第１の実施の形態と同様に、モニタ１０５に対象画像に重畳して表示し、使用者が微調整できるようにする。
【００３４】
使用者によって証明写真の作成が指示されると、決定したトリミング範囲の画像データに基づいて、指定された種類の証明写真を作成する。証明写真出力部１０４ｃは、作成した証明写真をプリンタ２０２を制御して印刷し、同時に作成した証明写真データをＨＤＤ２０１に保存する。
【００３５】
図４は、第２の実施の形態におけるパソコン２００で実行される画像処理プログラムの処理を示すフローチャートである。図２に示す処理は、使用者によって入力装置１０１が操作されて証明写真の作成が指示されると、制御装置１０４によって実行される。なお、図４においては、図２に示す第１の実施の形態における画像処理プログラムの処理と同一の処理内容については、同じステップ番号を付与し、相違点を中心に説明する。
【００３６】
ステップＳ１１において、顔エリア位置読み込み部１０４ａは、対象画像の画像データ内から作成する証明写真の種類に関する情報、および顔エリアの位置情報を読み込んで、ステップＳ２０へ進む。
【００３７】
以上説明した第２の実施の形態によれば、第１の実施の形態における作用効果に加えて、以下のような効果を得ることができる。すなわち、デジタルカメラ側で画像の撮像前に作成する証明写真の種類を設定しておき、画像データ内に、顔エリアの位置情報とともに、証明写真の種類に関する情報も含めるようにした。そして、この画像を読み込んだパソコンでは、画像データ内に含まれる証明種類の種類に関する情報、および顔エリアの位置情報に基づいて、トリミング範囲を決定して証明写真を作成するようにした。これによって、使用者は、画像の撮像時に証明写真の種類を選択しておけば、証明写真の作成時に改めて選択する必要がないため、使用者の手間を省くことができる。さらに、証明写真を作成するパソコンが１台に限定されない場合に、それぞれのパソコンでその都度、証明写真の種類を選択する必要もなく、使用者の利便性を向上することができる。
【００３８】
―第３の実施の形態―
第３の実施の形態では、第２の実施の形態と同様に、証明写真を作成する画像処理プログラムを画像処理装置、例えばパソコンに搭載した場合に、作成する証明写真の種類はデジタルカメラ側では選択されておらず、パソコンに画像を取り込んだ後に選択する場合について説明する。なお、図３に示したパソコンのブロック図については、第２の実施の形態と同様のため、説明を省略する。
【００３９】
この実施の形態では、外部インターフェース１０７を介して接続されたデジタルカメラ、またはメモリーカードスロット１０６に挿入されたメモリーカードから、画像データ内に顔エリアの位置情報を含んだ画像を取得する。取得した画像は、一時的に制御装置１０４が備えるメモリ空間に記憶され、その後ＨＤＤ２０１に保存される。
【００４０】
使用者は、ＨＤＤ２０１に保存された画像を使用して証明写真を作成する場合には、まず入力装置１０１、例えばキーボードやマウスを操作してＨＤＤ２０１に保存されている画像の中から、証明写真を作成する対象画像を選択してモニタ１０５に表示しておく。そして、証明写真作成用メニューをモニタ１０５に表示し、作成する証明写真の種類を選択する。その後、使用者によって、証明写真の作成開始が指示されると、制御装置１０４はＨＤＤ２０１から画像処理プログラムを読み込んで起動し、第１の実施の形態と同様に証明写真作成処理を実行する。
【００４１】
図５は、第３の実施の形態におけるパソコン２００で実行される画像処理プログラムの処理を示すフローチャートである。図５に示す処理は、使用者によって入力装置１０１が操作されて証明写真の作成が指示されると、制御装置１０４によって実行される。なお、図５においては、図２に示す第１の実施の形態における画像処理プログラムの処理と同一の処理内容については、同じステップ番号を付与し、相違点を中心に説明する。
【００４２】
ステップＳ１２において、使用者によって作成する証明写真の種類が選択されたか否かを判断する。証明写真の種類が選択されたと判断した場合には、ステップＳ２０へ進み、選択された証明写真の種類、および対象画像データから読み込んだ顔エリアの位置情報に基づいて、トリミング範囲の横方向の中心と縦方向の中心とを算出して、トリミング範囲の中心位置を算出する。
【００４３】
以上説明した第３の実施の形態によれば、第１の実施の形態における作用効果に加えて、以下のような効果を得ることができる。すなわち、証明写真の種類をパソコン側で指定するようにした。これによって、顔認識ＡＦ機能を搭載したデジタルカメラが証明写真を作成する機能を有しておらず、デジタルカメラ側で証明写真の種類を選択することが出来ない場合であっても、撮像した画像を使用して認識した顔エリアの位置情報を活用した証明写真の作成を行うことができる。
【００４４】
―変形例―
なお、上述した第１の実施の形態のデジタルカメラ、および第２、第３の実施の形態のパソコンは、以下のように変形することもできる。
（１）上述した第１〜第３の実施の形態では、顔認識ＡＦ機能により認識される顔エリアは四角形のエリアであり、当該顔エリアの位置情報として、顔エリアを示す四角形の左上のピクセル位置、および右下のピクセル位置の対を画像データ内に保存する例について説明した。しかしこれに限定されず、例えば、顔認識ＡＦ機能により認識される顔エリアを円形のエリアとし、円の中心位置、横方向の半径、および縦方向の半径の組を顔エリアの位置情報として保存するようにしてもよい。
【００４５】
（２）上述した第１〜第３の実施の形態では、対象画像内には一人の人物の顔が映っており、画像データ内には１つの顔エリアの位置情報が記憶されている場合について説明した。しかしこれに限定されず、対象画像内に複数人物の顔が映っており、画像データ内に複数の顔エリアの位置情報が記憶されている場合にも本発明は適用可能である。この場合には、例えば複数の顔エリアのうち、使用者に選択された１つの顔エリアを対象として上述した処理を実行し、１人分の証明写真を作成してもよいし、対象画像内に含まれている全ての人の証明写真を作成するようにしてもよい。
【００４６】
（３）上述した第２および第３の実施の形態では、画像処理装置としてパソコンを使用する例について説明したが、これに限定されず、例えば写真店の店頭に設置されているデジタルカメラ用の写真プリント機など、画像データを読み込んで印刷することができる印刷装置に適用してもよい。
【００４７】
なお、本発明の特徴的な機能を損なわない限り、本発明は、上述した実施の形態における構成に何ら限定されない。
【図面の簡単な説明】
【００４８】
【図１】第１の実施の形態におけるデジタルカメラの一実施の形態の構成を示すブロック図である。
【図２】第１の実施の形態におけるデジタルカメラ１００で実行される画像処理プログラムの処理を示すフローチャート図である。
【図３】第２の実施の形態におけるパソコンの一実施の形態の構成を示すブロック図である。
【図４】第２の実施の形態におけるパソコン２００で実行される画像処理プログラムの処理を示すフローチャート図である。
【図５】第３の実施の形態におけるパソコン２００で実行される画像処理プログラムの処理を示すフローチャート図である。
【符号の説明】
【００４９】
１００  デジタルカメラ
１０１  ＣＣＤ
１０２  入力装置
１０３  内蔵メモリ
１０４  制御装置
１０４ａ  顔エリア位置読み込み部
１０４ｂ  トリミング部
１０４ｃ  証明写真出力部
１０５  モニタ
１０６  メモリーカードスロット
１０７  外部インターフェース
２０１  ＨＤＤ
２０２  プリンタ
【図１】
2007036689.tif 000003
【図２】
2007036689.tif 000004
【図３】
2007036689.tif 000005
【図４】
2007036689.tif 000006
【図５】
2007036689.tif 000007